(57)【要約】      （修正有）【課題】組立式調理用具につき、該組立式調理用具が分解されている状態にあっても、該構成部品が嵩張らないようにして運搬し易く、かつ、該構成部品が散逸することがない組立式調理用具を提供する。【解決手段】組立式調理用具のセット１は、調理用コンロ２と、調理用ストーブ３と、調理用テーブル４と、収納容器５とから構成され、調理用コンロ２は、スタンドと、風防とからなり、調理用ストーブ３は、灰受パネルと、火床パネルと、背面パネルと、正面パネルと、二枚の側面パネルとからなり、調理用テーブル４は、天板と、天板連結部材と、脚部材とからなり、収納容器５は、蓋体と、箱体とからなる。【選択図】図１
0003175891.tif 000002
【実用新案登録請求の範囲】
【請求項１】
組立式の調理用コンロであって、三脚のスタンドから構成されるものであり、分解されている状態においては浅底平型の箱型収納容器に収納することができるものであって、該スタンドは、いずれも、平板状の略Ｌ字型の部材であって、該スタンドを相互に連結することができるように、該スタンドの縦辺側の下部に下端の開放された第一のスタンド連結用スリットが設けられており、該スタンドの横辺には上端の開放された第二のスタンド連結用スリットが設けられていることを特徴とする組立式の調理用コンロ。
【請求項２】
組立式の調理用コンロであって、スタンドと、風防とから構成されるものであり、分解されている状態においては浅底平型の箱型収納容器に収納することができるものであって、該スタンドは、三脚備えられており、いずれも、平板状の略Ｌ字型の部材であって、該スタンドを相互に連結することができるように、該スタンドの縦辺側の下部に下端の開放された第一のスタンド連結用スリットが設けられており、該スタンドの横辺には上端の開放された第二のスタンド連結用スリットが設けられているとともに、該風防を該スタンドに立設することができるように、該スタンドの横辺には該第二のスタンド連結用スリットの先に上端の開放された風防立設用スリットが設けられており、該風防は、可撓性を有する材料によって形成されている帯状の部材であって、該風防立設用スリットに係合し得る程度の厚みを有することを特徴とする組立式の調理用コンロ。
【請求項３】
組立式の調理用ストーブであって、灰受パネルと、火床パネルと、背面パネルと、正面パネルと、二枚の側面パネルとからなる六枚のいずれも平板状のパネル部材から構成されるものであり、分解されている状態においては浅底平型の箱型収納容器に収納することができるものであって、該灰受パネルは、該背面パネル及び該側面パネルと連結するための係合片が設けられており、該火床パネルは、該背面パネル及び該側面パネルと連結するための係合片が設けられていて、多孔板により形成されており、該背面パネルは、該灰受パネル、該火床パネル及び該側面パネルと連結するための係合孔が穿設されているとともに、換気口が設けられており、該正面パネルは、該側面パネルと連結するための係合孔及び係合スリットが設けられているとともに、換気口が設けられており、かつ、灰掻き出し口が設けられており、該側面パネルは、該背面パネル及び該正面パネルと連結するための係合片が設けられており、該灰受パネル及び該火床パネルと連結するための係合孔が穿設されているとともに、換気口が穿設されていることを特徴とする組立式の調理用ストーブ。
【請求項４】
組立式の調理用テーブルであって、天板と、天板連結部材と、脚部材とからなるいずれも平板状の部材から構成されるものであり、分解されている状態においては浅底平型の箱型収納容器に収納することができるものであって、該天板は、少なくとも二枚備えられており、該天板連結部材を取り付けるための係合孔が平面部に穿設されているとともに、脚部材を取り付けるための係合孔が平面部に穿設されており、該天板連結部材は、略門型の部材であって、該天板を連結するための係合片が上辺に少なくとも二箇所設けられているとともに、該脚部材を連結するための下端の開放された脚部材連結用スリットが設けられており、該脚部材は、略門型の部材であって、該天板に連結するための係合片が上辺に設けられているとともに、該天板連結部材に連結するための上端の開放された天板連結部材連結用スリットが設けられていることを特徴とする組立式の調理用テーブル。
【請求項５】
組立式調理用具のセットであって、請求項１又は２に記載した組立式の調理用コンロと、請求項３に記載した組立式の調理用ストーブと、請求項４に記載した組立式の調理用テーブルの全部又は一部の組合せと、それらを収納するための収納容器とから構成されるものであり、該収納容器は、浅底平型の箱型収納容器であって、蓋体と箱体とが個別的に形成されており、該組合せを構成する組立式の調理用コンロと、組立式の調理用ストーブと、組立式の調理用テーブルが分解された状態においてはそれらをすべて該収納容器内に収納できることを特徴とする組立式調理用具のセット。
【考案の詳細な説明】
【技術分野】
【０００１】
本考案は、主として、野営等を行うときに屋外で調理を行う際に使用者が組み立てて用いる組立式の調理用のコンロ、ストーブ、テーブル等の組立式調理用具及びそのセットに関するものである。
【背景技術】
【０００２】
従来、屋外で調理を行う際に使用者が組み立てて用いる組立式の調理用のコンロ及びストーブ（例えば、特許文献１参照。）、並びにテーブル（例えば、特許文献２参照。）等が提供されてきたところである。また、屋外で調理を行う際に用いる調理用のコンロをはじめとする調理用具のセット（例えば、特許文献３及び４参照。）も提供されてきたところである。
【先行技術文献】
【特許文献】
【０００３】
【特許文献１】実開平４−１１０３０１号公報
【特許文献２】実開平５−４８７２７号公報
【特許文献３】実開昭５７−３６１３８号公報
【特許文献４】実開昭６３−１１４２３０号公報
【考案の概要】
【考案が解決しようとする課題】
【０００４】
しかしながら、まず、従来技術に係る組立式調理用具は、複数の部品から構成されるものであるところ、該組立式調理用具を分解して運搬する際には、該構成部品が嵩張ってしまうため運搬し難いという問題があった。とりわけ、徒歩による旅行又は自転車若しくは自動二輪車による旅行の際は、運搬することができる荷物の量が限られていることから、該構成部品が嵩張ってしまう組立式調理用具を運搬することは困難であった。そこで、本考案の第一の課題は、組立式調理用具につき、該組立式調理用具が分解されている状態にあっても該構成部品が嵩張らないようにして運搬し易い組立式調理用具を提供することにある。
【０００５】
また、従来技術に係る組立式調理用具は、複数の部品から構成されるものであるところ、該組立式調理用具が分解されている状態にあっては該構成部品が散逸し易いという問題もあった。そこで、本考案の第二の課題は、組立式調理用具につき、該組立式調理用具が分解されている状態にあっても該構成部品が散逸することがない組立式調理用具を提供することにある。
【０００６】
そして、従来技術に係る屋外で調理を行う際に用いる調理用具のセットは、該調理用具を収納するための収納容器を備えているものも存するところではあるが、該調理用具をそのままの形態で該収納容器に収納するものであることから、必然的に該収納容器の大きさが大きくなってしまうため、該調理用具のセットを運搬し難いという問題があった。そこで、本考案の第三の課題は、組立式調理用具のセットにつき、該組立式調理用具を該収納容器内にコンパクトにまとめて収納することができる組立式調理用具のセットを提供することにある。
【課題を解決するための手段】
【０００７】
本考案の第一及び第二の課題を解決するため、請求項１に係る組立式の調理用コンロは、三脚のスタンドから構成されるものであり、分解されている状態においては浅底平型の箱型収納容器に収納することができるものであって、該スタンドは、いずれも、平板状の略Ｌ字型の部材であって、該スタンドを相互に連結することができるように、該スタンドの縦辺側の下部に下端の開放された第一のスタンド連結用スリットが設けられており、該スタンドの横辺には上端の開放された第二のスタンド連結用スリットが設けられている。
【０００８】
本考案の第一及び第二の課題を解決するため、請求項２に係る組立式の調理用コンロは、スタンドと、風防とから構成されるものであり、分解されている状態においては浅底平型の箱型収納容器に収納することができるものである。該スタンドは、三脚備えられており、いずれも、平板状の略Ｌ字型の部材であって、該スタンドを相互に連結することができるように、該スタンドの縦辺側の下部に下端の開放された第一のスタンド連結用スリットが設けられており、該スタンドの横辺には上端の開放された第二のスタンド連結用スリットが設けられているとともに、該風防を該スタンドに立設することができるように、該スタンドの横辺には該第二のスタンド連結用スリットの先に上端の開放された風防立設用スリットが設けられている。また、該風防は、可撓性を有する材料によって形成されている帯状の部材であって、該風防立設用スリットに係合し得る程度の厚みを有するものである。
【０００９】
本考案の第一及び第二の課題を解決するため、請求項３に係る組立式の調理用ストーブは、灰受パネルと、火床パネルと、背面パネルと、正面パネルと、二枚の側面パネルとからなる六枚のいずれも平板状のパネル部材から構成されるものであり、分解されている状態においては浅底平型の箱型収納容器に収納することができるものである。即ち、該灰受パネルは、該背面パネル及び該側面パネルと連結するための係合片が設けられている。該火床パネルは、該背面パネル及び該側面パネルと連結するための係合片が設けられており、多孔板により形成されている。該背面パネルは、該灰受パネル、該火床パネル及び該側面パネルと連結するための係合孔が穿設されているとともに、換気口が設けられている。該正面パネルは、該側面パネルと連結するための係合孔及び係合スリットが設けられているとともに、換気口が設けられており、かつ、灰掻き出し口が設けられている。該側面パネルは、該背面パネル及び該正面パネルと連結するための係合片が設けられており、該灰受パネル及び該火床パネルと連結するための係合孔が穿設されているとともに、換気口が穿設されている。
【００１０】
本考案の第一及び第二の課題を解決するため、請求項４に係る組立式の調理用テーブルは、天板と、天板連結部材と、脚部材とからなるいずれも平板状の部材から構成されるものであり、分解されている状態においては浅底平型の箱型収納容器に収納することができるものである。該天板は、少なくとも二枚備えられており、該天板連結部材を取り付けるための係合孔が平面部に穿設されているとともに、脚部材を取り付けるための係合孔が平面部に穿設されている。該天板連結部材は、略門型の部材であって、該天板を連結するための係合片が上辺に少なくとも二箇所設けられているとともに、該脚部材を連結するための下端の開放された脚部材連結用スリットが設けられている。該脚部材は、略門型の部材であって、該天板に連結するための係合片が上辺に設けられているとともに、該天板連結部材に連結するための上端の開放された天板連結部材連結用スリットが設けられている。
【００１１】
本考案の第三の課題を解決するため、請求項５に係る組立式調理用具のセットは、請求項１又は２に記載した組立式の調理用コンロと、請求項３に記載した組立式の調理用ストーブと、請求項４に記載した組立式の調理用テーブルの全部又は一部の組合せと、それらを収納するための収納容器とから構成されるものであり、該収納容器は、浅底平型の箱型収納容器であって、蓋体と箱体とが個別的に形成されており、該組合せを構成する組立式の調理用コンロと、組立式の調理用ストーブと、組立式の調理用テーブルが分解された状態においてはそれらをすべて該収納容器内に収納できるものである。
【考案の効果】
【００１２】
請求項１から５までに記載した本考案に係る組立式調理用具及びそのセットは、上記の通りの構成であるから、以下のような効果を奏することができる。
【００１３】
まず、請求項１に記載した組立式の調理用コンロは、いずれも平板状の略Ｌ字型の部材によって形成されている三脚のスタンドから構成されるものであることから、該コンロは、分解した状態にあっては平坦な形態となり、浅底平型の箱型収納容器に収納することができる。従って、請求項１に記載した組立式の調理用コンロは、組立式調理用具につき、該組立式調理用具が分解されている状態にあっても該構成部品が嵩張らないようにして運搬し易い組立式調理用具を提供するという本考案の第一の課題を解決することができるとともに、組立式調理用具につき、該組立式調理用具が分解されている状態にあっても該構成部品が散逸することがない組立式調理用具を提供するという本考案の第二の課題も解決することができるのである。
【００１４】
また、請求項２に記載した組立式の調理用コンロは、スタンドと、風防とから構成されるものであり、該スタンドは平板状の略Ｌ字型の部材であり、該風防は可撓性を有する材料によって形成されている帯状の部材であることから、該コンロは、分解した状態にあっては平坦な形態となり、浅底平型の箱型収納容器に収納することができる。従って、請求項２に記載した組立式の調理用コンロは、組立式調理用具につき、該組立式調理用具が分解されている状態にあっても該構成部品が嵩張らないようにして運搬し易い組立式調理用具を提供するという本考案の第一の課題を解決することができるとともに、組立式調理用具につき、該組立式調理用具が分解されている状態にあっても該構成部品が散逸することがない組立式調理用具を提供するという本考案の第二の課題も解決することができるのである。
【００１５】
次に、請求項３に記載した組立式の調理用ストーブは、灰受パネルと、火床パネルと、背面パネルと、正面パネルと、二枚の側面パネルとからなる六枚のいずれも平板状のパネル部材から構成されるものであることから、該ストーブは、分解した状態にあっては平坦な形態となり、浅底平型の箱型収納容器に収納することができる。従って、請求項３に記載した組立式の調理用ストーブは、組立式調理用具につき、該組立式調理用具が分解されている状態にあっても該構成部品が嵩張らないようにして運搬し易い組立式調理用具を提供するという本考案の第一の課題を解決することができるとともに、組立式調理用具につき、該組立式調理用具が分解されている状態にあっても該構成部品が散逸することがない組立式調理用具を提供するという本考案の第二の課題も解決することができるのである。
【００１６】
また、請求項４に記載した組立式の調理用テーブルは、天板と、天板連結部材と、脚部材とから構成されるものであり、いずれの部材も平板状の部材であることから、該テーブルは、分解した状態にあっては平坦な形態となり、浅底平型の箱型収納容器に収納することができる。従って、請求項４に記載した組立式の調理用テーブルは、組立式調理用具につき、該組立式調理用具が分解されている状態にあっても該構成部品が嵩張らないようにして運搬し易い組立式調理用具を提供するという本考案の第一の課題を解決することができるとともに、組立式調理用具につき、該組立式調理用具が分解されている状態にあっても該構成部品が散逸することがない組立式調理用具を提供するという本考案の第二の課題も解決することができるのである。
【００１７】
そして、請求項５に記載した組立式調理用具のセットは、請求項１又は２に記載した組立式の調理用コンロと、請求項３に記載した組立式の調理用ストーブと、請求項４に記載した組立式の調理用テーブルの全部又は一部の組合せと、それらを収納するための浅底平型の箱型収納容器とから構成されるものであって、該組合せを構成する組立式の調理用コンロと、組立式の調理用ストーブと、組立式の調理用テーブルは、いずれも分解した状態においては平坦な形態となり、それらをすべて該収納容器内に収納できるものである。従って、請求項５に記載した組立式調理用具のセットは、組立式調理用具のセットにつき、該組立式調理用具を該収納容器にコンパクトにまとめて収納することができる組立式調理用具のセットを提供するという本考案の第三の課題を解決することができるのである。
【図面の簡単な説明】
【００１８】
【図１】本考案の一実施形態に係る組立式の調理用具のセットの斜視図である。
【図２】本考案の一実施形態に係る組立式の調理用コンロを分解した状態を示した平面図である。
【図３】本考案の一実施形態に係る組立式の調理用コンロを構成するスタンドを示した平面図である。
【図４】本考案の一実施形態に係る組立式の調理用コンロを組み立てる過程を示した斜視図である。
【図５】本考案の一実施形態に係る組立式の調理用コンロを組み立てた状態を示した斜視図である。
【図６】本考案の一実施形態に係る組立式の調理用コンロを組み立てた状態を示した斜視図である。
【図７】本考案の一実施形態に係る組立式の調理用ストーブを分解した状態を示した平面図である。
【図８】本考案の一実施形態に係る組立式の調理用ストーブを組み立てる過程を示した斜視図である。
【図９】本考案の一実施形態に係る組立式の調理用ストーブを組み立てた状態を示した斜視図である。
【図１０】本考案の一実施形態に係る組立式の調理用テーブルを分解した状態を示した平面図である。
【図１１】本考案の一実施形態に係る組立式の調理用テーブルを組み立てる過程を示した斜視図である。
【図１２】本考案の一実施形態に係る組立式の調理用テーブルを組み立てた状態を示した斜視図である。
【図１３】本考案の一実施形態に係る組立式の調理用具のセットを収納容器に収納する過程を示した斜視図である。
【考案を実施するための形態】
【００１９】
まず、本考案の一実施形態に係る組立式調理用具のセット１について、添付図面に基づいて説明する。
【００２０】
本考案の実施形態に係る組立式調理用具のセット１は、図１に図示するように、調理用コンロ２と、調理用ストーブ３と、調理用テーブル４と、収納容器５とから構成される。
【００２１】
次に、本考案の一実施形態に係る組立式の調理用コンロ２について、添付図面に基づいて説明する。
【００２２】
まず、調理用コンロ２は、図２に図示するように、スタンド２１と、風防２２とから構成されるものである。
【００２３】
スタンド２１は、図３（ａ）に図示するように、平板状の略Ｌ字型の部材であり、スタンド連結用スリット２１ａと、風防立設用スリット２１ｂと、炊事用具戴置部２１ｃとが設けられている。スタンド連結用スリット２１ａは、スタンド２１の縦辺側の下部に設けられている下端の開放されたスタンド連結用スリット２１ａ１と、スタンド２１の横辺に設けられている上端の開放されたスタンド連結用スリット２１ａ２とから構成されている。風防立設用スリット２１ｂは、スタンド２１の横辺のスタンド連結用スリット２１ａ２の先に設けられている上端の開放されたスリットである。風防立設用スリット２１ｂは、一箇所のみ設けることも可能であるが、図示するように、複数箇所設けることにより、使用者は風防２２をスタンド２１に立設する際の大きさを所望の大きさに調節することができ、また、風防２２をスタンド２１に二重に立設する等その数を調節することができ、好適である。炊事用具戴置部２１ｃであるスタンド２１の縦辺の先端は、平坦な形状となっていて、横辺の先端に向かって突出した形状となっており、炊事用具を安定的に戴置させることができる。もっとも、炊事用具戴置部２１ｃの形状としては、様々な形状が考えられるところ、例えば、図３（ｂ）に図示するように、横辺の先端に向かって傾斜を設けると、底部が丸みを帯びた炊事用具を戴置するのに好適であり、また、図３（ｃ）に図示するように、凹凸を設けると、炊事用具が滑り落ち難くなって好適である。尚、スタンド２１は、例えば、ステンレススチール板等の耐火性及び耐食性を有する平板状の材料で形成するのが、好適である。
【００２４】
風防２２は、図２に図示するように、可撓性を有する材料によって形成されている帯状の部材であって、風防立設用スリット２１ｂに係合し得る程度の厚みを有するものである。風防２２は、例えば、ステンレススチールの薄板等の耐火性及び耐食性を有しており、かつ、可撓性を有する材料によって形成するのが、好適である。
【００２５】
次に、図４に基づいて、使用者が調理用コンロ２を組み立てる過程について説明する。使用者は、まず、図４（ａ）に図示するように、スタンド連結用スリット２１１ａ２にスタンド連結用スリット２１２ａ１を係合させてスタンド２１１と２１２とを連結させるとともに、スタンド連結用スリット２１２ａ２にスタンド連結用スリット２１３ａ１を係合させてスタンド２１２と２１３とを連結させる。使用者は、次に、図４（ｂ）に図示するように、スタンド連結用スリット２１３ａ２にスタンド連結用スリット２１１ａ１を係合させてスタンド２１３と２１１とを連結させ、図４（ｃ）に図示するように、スタンド２１を組み立てる。そして、使用者は、図４（ｄ）に図示するように、風防２２を自らの所望する大きさに丸めて、スタンド２１の上方から被せるようにして、風防２２の下部を風防立設用スリット２１ｂに係合させ、風防２２をスタンド２１に立設する。そうすると、図５に図示するような調理用コンロ２を組み立てることができる。風防２２は、風防立設用スリット２１ｂに係合しているため、丸めた状態を維持することができるとともに、風等によりスタンド２１から外れたりあるいは転倒したりすることを防止することができる。また、図５に図示するように、調理用コンロ２の接地面と風防２２の下辺との間には隙間が設けられていることから、調理用コンロ２内の換気を行うことができる。
【００２６】
尚、図５に図示する調理用コンロ２は、風防２２が一重であるが、図６に図示するように、風防２２を二重にすること等も可能である。風防２２を二重にした場合には、調理用コンロ２内に設置する燃焼体を燃焼させるに当たって、風等の影響を受け難くなることから更に安定的に燃焼させることができるとともに、煙突効果により更に効率的に燃焼させることができる。
【００２７】
以上が、本考案の一実施形態に係る組立式の調理用コンロ２についての説明である。次に、本考案の一実施形態に係る組立式の調理用ストーブ３について、添付図面に基づいて説明する。
【００２８】
まず、調理用ストーブ３は、図７に図示するように、灰受パネル３１と、火床パネル３２と、背面パネル３３と、正面パネル３４と、二枚の側面パネル３５とからなる六枚のパネル部材から構成されるものである。いずれのパネル部材も、平板状の略四角形状のパネル部材であり、例えば、ステンレススチール板等の耐火性及び耐食性を有する平板状の材料で形成するのが、好適である。
【００２９】
灰受パネル３１は、背面パネル３３と連結するための係合片３１ａが上辺中央から横長長方形状に突出するようにして設けられており、また、側面パネル３５と連結するための係合片３１ｂが両側辺下方から縦長長方形状に突出するようにしてそれぞれ設けられている。
【００３０】
火床パネル３２は、灰受パネル３１と同様に、背面パネル３３と連結するための係合片３２ａが上辺中央から横長長方形状に突出するようにして設けられており、また、係合片３２ｂが両側辺下方から縦長長方形状に突出するようにしてそれぞれ設けられている。火床パネル３２は、多孔板により形成されており、貫通孔３２ｃが複数穿設されている。
【００３１】
背面パネル３３は、灰受パネル３１と連結するための係合孔３３ａが平面部中央下方に一箇所穿設されているとともに、火床パネル３２と連結するための係合孔３３ｂが係合孔３３ａの上方に一箇所穿設されており、側面パネル３５と連結するための係合孔３３ｃが平面部の上下左右に合わせて四箇所穿設されている。背面パネル３３は、また、換気口として、上辺を三角形状に切り欠いた切欠き部３３ｄが設けられているとともに、空気孔３３ｅが係合孔３３ａと３３ｂとの間に穿設されている。
【００３２】
正面パネル３４は、まず、側面パネル３５と連結するための係合孔３４ａが平面部の上方左右に二箇所穿設されているとともに係合スリット３４ｂが下辺の左右に二箇所穿設されている。正面パネル３４は、また、換気口として、上辺を三角形状に切り欠いた切欠き部３４ｃが設けられているとともに、空気孔３４ｄが平面部の中央やや上方に穿設されている。正面パネル３４は、更に、下辺を門型に切り欠いた灰掻き出し口３４ｅが設けられている。
【００３３】
側面パネル３５は、まず、係合孔３３ｃに係合させて背面パネル３３と連結するための係合片３５ａが一方の側辺の上下二箇所から鉤型状に突出するようにして設けられているとともに、係合孔３４ａ及び係合スリット３４ｂに係合させて正面パネル３４と連結するための係合片３５ｂが他方の側辺の上下二箇所から鉤型状に突出するようにして設けられている。側面パネル３５は、また、係合片３１ｂに係合させて灰受パネル３１と連結するための係合孔３５ｃが平面部下方の一側辺寄りに穿設されているとともに、係合片３２ｂに係合させて火床パネル３２と連結するための係合孔３５ｄが係合孔３５ｃの上方に穿設されている。側面パネル３５は、更に、換気口として、上辺を三角形状に切り欠いた切欠き部３５ｅが設けられているとともに、空気孔３５ｆが平面部下方の他側辺寄りに穿設されている。
【００３４】
次に、図８に基づいて、使用者が調理用ストーブ３を組み立てる過程について説明する。使用者は、まず、図８（ａ）に図示するように、係合孔３３ｃに係合片３５ａを係合させて背面パネル３３と側面パネル３５とを連結させ、側面パネル３５の正面側を開いた状態にしておく。使用者は、次に、図８（ｂ）に図示するように、灰受パネル３１及び火床パネル３２を背面パネル３３と側面パネル３５とにより囲まれた空間内に差し入れ、係合孔３３ａに係合片３１ａを係合させて灰受パネル３１を背面パネル３３に連結するとともに、係合孔３３ｂに係合片３２ａを係合させて火床パネル３２を背面パネル３３に連結する。あわせて、側面パネル３５の正面側を閉じた状態にして、係合孔３５ｃに係合片３１ｂを係合させて灰受パネル３１を側面パネル３５に連結するとともに、係合孔３５ｄに係合片３１ｂを係合させて火床パネル３２を側面パネル３５に連結する。そして、使用者は、図８（ｃ）に図示するように、係合片３５ｂに係合孔３４ａ及び係合スリット３４ｂを係合させて側面パネル３５に正面パネル３４を連結することにより、図９に図示するように、調理用ストーブ３を組み立てることができる。
【００３５】
以上が、本考案の一実施形態に係る組立式の調理用ストーブ３についての説明である。次に、本考案の一実施形態に係る組立式の調理用テーブル４について、添付図面に基づいて説明する。
【００３６】
まず、調理用テーブル４は、図１０に図示するように、天板４１と、天板連結部材４２と、脚部材４３とから構成されるものである。いずれの部材も、平板状の部材であり、例えば、ステンレススチール板等の耐火性及び耐食性を有する平板状の材料で形成するのが、好適である。
【００３７】
天板４１は、長方形状の部材であって、二枚備えられており、天板連結部材４２の係合片４２ａを係合させて天板連結部材４２と連結するための係合孔４１ａが平面部の上方に左右二箇所穿設されているとともに、脚部材４３の係合片４３ａを係合させて脚部材４３と連結するための係合孔４１ｂが平面部の中央下方に一箇所穿設されている。
【００３８】
天板連結部材４２は、横長の略門型の部材であって、二枚備えられている。係合片４２ａは、係合孔４１ａに係合させて二枚の天板４１を連結するためのものであって、平面部に対して直角に突き出すような形状となっており、上辺中央に二箇所設けられている。脚部材連結用スリット４２ｂは、天板連結部材連結用スリット４３ｂを係合させて脚部材４３を連結するためのものであって、下端の開放されたスリットが天板連結部材４２の両端に一箇所ずつ設けられている。
【００３９】
脚部材４３は、横長の略門型の部材であって、二枚備えられている。係合片４３ａは、係合孔４１ａに係合させて天板４１を連結するためのものであって、平面部に対して直角に突き出すような形状となっており、上辺中央に一箇所設けられている。天板連結部材係合用スリット４３ｂは、脚部材係合用スリット４２ｂに係合させて天板連結部材４２に連結するためのものであって、上端の開放されたスリットが脚部材４３の左右に一箇所ずつ設けられている。
【００４０】
次に、図１１に基づいて、使用者が調理用テーブル４を組み立てる過程について説明する。使用者は、まず、図１１（ａ）に図示するように、係合孔４１ａに係合片４２ａを係合させて、第一の天板連結部材４２１及び第二の天板連結部材４２２をそれぞれ取り付けることにより、第一の天板４１１と第二の天板４１２とを連結する。使用者は、次に、図１１（ｂ）に図示するように、係合孔４１ｂに係合片４３ａを係合させるとともに、脚部材係合用スリット４２ｂに天板連結部材係合用スリット４３ｂを係合させて、天板４１及び天板連結部材４２に第一の脚部材４３１及び第二の脚部材４３２を取り付けることにより、図１２に図示するように、調理用テーブル４を組み立てることができる。
【００４１】
以上が、本考案の一実施形態に係る組立式の調理用テーブル４についての説明である。次に、調理用コンロ２、調理用ストーブ３、及び調理用テーブル４を収納する収納容器５について、添付図面に基づいて説明する。
【００４２】
まず、収納容器５は、図１３に図示するように、蓋体５１と、箱体５２とから構成されるものである。いずれの部材も、一面の開放された直方体状の部材であり、例えば、ステンレススチール板等の耐火性及び耐食性を有する材料で形成するのが、好適である。また、調理用コンロ２又は調理用ストーブ３を使用して炊事を行う際には、蓋体５１又は箱体５２を地面等に設置した上で行うと、地面等に熱を伝え難くなり、好適である。
【００４３】
次に、図１３に基づいて、調理用コンロ２、調理用ストーブ３、及び調理用テーブル４を収納容器５に収納する手順について説明する。使用者は、まず、図１３（ａ）に図示するように、箱体５２内に天板連結部材４２１及び脚部材４３１をそれぞれの上辺が箱体５２の長手方向の側辺に接するようにして収納する。使用者は、次に、図１３（ｂ）に図示するように、箱体５２内に天板連結部材４２１及び脚部材４３１とは反対になるように天板連結部材４２２及び脚部材４３２をそれぞれの上辺が箱体５２の長手方向の側辺に接するようにして収納する。使用者は、続いて、図１３（ｃ）に図示するように、天板４１を重ねた上で箱体５２内に対向する係止片４２ａ及び係止片４３ａの間に収納する。使用者は、更に、図１３（ｄ）に図示するように、調理用ストーブ３を構成する各パネル部材を重ねた上で、箱体５２の短手方向のいずれかの側辺に接するように天板４１上に戴置して箱体５２内に収納する。使用者は、そして、図１３（ｅ）に図示するように、スタンド２１を重ねた上で、調理用ストーブ３が戴置されていない天板４１上に戴置して箱体５２内に収納する。使用者は、最後に、図１３（ｆ）に図示するように、風防２２を箱体５２内に収納した上で、蓋体５１により箱体５２の開放面を覆って閉じる。尚、図１３（ｇ）に図示するように、収納容器５にベルト部材Ｂを締めておけば、収納容器５内に収納されている組立式調理用具が漏れ出すことを防止することができ、好適である。
【符号の説明】
【００４４】
１  組立式調理用具のセット
２  調理用コンロ
２１  スタンド
２１ａ  スタンド連結用スリット
２１ｂ  風防立設用スリット
２１ｃ  炊事用具戴置部
２２  風防
３  調理用ストーブ
３１  灰受パネル
３１ａ  係合片
３１ｂ  係合片
３２  火床パネル
３２ａ  係合片
３２ｂ  係合片
３２ｃ  貫通孔
３３  背面パネル
３３ａ  係合孔
３３ｂ  係合孔
３３ｃ  係合孔
３３ｄ  切欠き部
３３ｅ  空気孔
３４  正面パネル
３４ａ  係合孔
３４ｂ  係合スリット
３４ｃ  切欠き部
３４ｄ  空気孔
３４ｅ  灰掻き出し口
３５  側面パネル
３５ａ  係合片
３５ｂ  係合片
３５ｃ  係合孔
３５ｄ  係合孔
３５ｅ  切欠き部
３５ｆ  空気孔
４  調理用テーブル
４１  天板
４１ａ  係合孔
４１ｂ  係合孔
４２  天板連結部材
４２ａ  係合片
４２ｂ  脚部材連結用スリット
４３  脚部材
４３ａ  係合片
４３ｂ  天板連結部材係合用スリット
５  収納容器
５１  蓋体
５２  箱体
Ｂ  ベルト部材
【図１】
0003175891.tif 000003
【図２】
0003175891.tif 000004
【図３（ａ）】
0003175891.tif 000005
【図３（ｂ）】
0003175891.tif 000006
【図３（ｃ）】
0003175891.tif 000007
【図４（ａ）】
0003175891.tif 000008
【図４（ｂ）】
0003175891.tif 000009
【図４（ｃ）】
0003175891.tif 000010
【図４（ｄ）】
0003175891.tif 000011
【図５】
0003175891.tif 000012
【図６】
0003175891.tif 000013
【図７】
0003175891.tif 000014
【図８（ａ）】
0003175891.tif 000015
【図８（ｂ）】
0003175891.tif 000016
【図８（ｃ）】
0003175891.tif 000017
【図９】
0003175891.tif 000018
【図１１（ａ）】
0003175891.tif 000019
【図１１（ｂ）】
0003175891.tif 000020
【図１２】
0003175891.tif 000021
【図１３（ａ）】
0003175891.tif 000022
【図１３（ｂ）】
0003175891.tif 000023
【図１３（ｃ）】
0003175891.tif 000024
【図１３（ｄ）】
0003175891.tif 000025
【図１３（ｅ）】
0003175891.tif 000026
【図１３（ｆ）】
0003175891.tif 000027
【図１３（ｇ）】
0003175891.tif 000028
【図１０】
0003175891.tif 000029